(57)【要約】【課題】  熱転写シートに悪影響を与えることなく、カセットの蓋体をコア保持体に強固に固定することができる熱転写シート用カセットを提供する。【解決手段】  熱転写シート用カセットは巻取コアの保持部と、供給コアの保持部と、これら巻取コアの保持部と供給コアの保持部を連結する一対の連結部とを有するコア保持体と、巻取コアの保持部と供給コアの保持部とを覆う蓋体とを備えている。コア保持体は供給コアの保持部から巻取コアの保持部まで延びる一対の側部を有している。蓋体はコア保持体の一対の側部内に装着されて固定される。【選択図】  図１
2005081670.tif 000002
【特許請求の範囲】
【請求項１】
巻取コアと、供給コアと、巻取コアと供給コアとに巻き付けられサーマルヘッドにより加熱される熱転写シートとからなるシート体を収納する熱転写シート用カセットにおいて、
巻取コアの保持部と、供給コアの保持部とを有するコア保持体と、
巻取コアの保持部と供給コアの保持部とを覆う蓋体とを備え、
コア保持体は供給コアの保持部から巻取コアの保持部まで延びる一対の側部を有し、
蓋体は、コア保持体の一対の側部内に固定されていることを特徴とする熱転写シート用カセット。
【請求項２】
一対の側部は各々平板からなることを特徴とする請求項１記載の熱転写シート用カセット。
【請求項３】
蓋体は一対の側板を有し、
蓋体の一対の側板は、コア保持体の一対の側部の内側に係止されることを特徴とする請求項１記載の熱転写シート用カセット。
【発明の詳細な説明】
【技術分野】
【０００１】
本発明は熱転写シートからなるシート体を収納する熱転写シート用のカセットに関する。
【背景技術】
【０００２】
従来より巻取コアと、供給コアと、熱転写シートとを有するシート体が知られている。このシート体は巻取コアの保持部と、供給コアの保持部を有するコア保持体と、このコア保持体を覆う蓋体とを備えた熱転写シート用カセット内に収納される（例えば特許文献１参照）。
【０００３】
カセット内では供給コアから熱転写シートが繰り出され、巻取コアに巻き取られる。この間、熱転写シートがサーマルヘッドにより加熱されて熱転写シートから画像が受像シートに転写される。
【特許文献１】ＵＳＰ５１１０２２８号公報
【発明の開示】
【発明が解決しようとする課題】
【０００４】
ところで、熱転写シート用カセットのコア保持体を覆う蓋体はコア保持体に対し、一般に、蓋体に設けた爪とコア保持体に設けた開口とを嵌合させることにより固定される。
【０００５】
しかしながら、このような固定方法を用いた場合、蓋体とコア保持体の形状によっては、カセットの落下により容易にカセットの蓋体が外れ、カセットからシート体が散乱するという不都合が生じることがある。
【０００６】
そのため、カセットのコア保持体と蓋体とを熱により溶着することも試みられているが、溶着作業が困難である上に、熱により熱転写シートに悪影響を与える恐れもある。
【０００７】
本発明はこのような点を考慮してなされたものであり、熱転写シートに悪影響を与えることなく、カセットの蓋体をコア保持体に強固に固定することができる熱転写シート用カセットを提供することを目的とする。
【課題を解決するための手段】
【０００８】
本発明は、巻取コアと、供給コアと、巻取コアと供給コアとに巻き付けられサーマルヘッドにより加熱される熱転写シートとからなるシート体を収納する熱転写シート用カセットにおいて、巻取コアの保持部と、供給コアの保持部とを有するコア保持体と、巻取コアの保持部と供給コアの保持部とを覆う蓋体とを備え、コア保持体は供給コアの保持部から巻取コアの保持部まで延びる一対の側部を有し、蓋体は、コア保持体の一対の側部内に固定されていることを特徴とする熱転写シート用カセットである。
【０００９】
本発明は、一対の側部は各々平板からなることを特徴とする熱転写シート用カセットである。
【００１０】
本発明は、蓋体は一対の側板を有し、蓋体の一対の側板は、コア保持体の一対の側部の内側に係止されることを特徴とする熱転写シート用カセットである。
【発明の効果】
【００１１】
蓋体２０，２１はコア保持体の一対の側部１８内に装着されて固定される。また、熱転写シート用カセット１０のうち、コア保持体１１の側部１８の上端面１８ａと蓋体２０，２１の上面とを、段差を生じさせることなく平坦状に形成することができる。このため、外方に突起物が突出することなく、熱転写シート用カセット１０をコンパクトに構成することができる。このような点から、熱転写シート用カセット１０を落下させたり、外力を加えた場合でも、蓋体２０，２１はコア保持体１１から外れにくく、コア保持体１１に強固に固定されることになる。
【発明を実施するための最良の形態】
【００１２】
以下、図面を参照して本発明の実施の形態について説明する。
【００１３】
図１乃至図６は、本発明による熱転写シート用カセットの一実施の形態を示す図である。
【００１４】
図１乃至図６に示すように、熱転写シート用カセット１０は巻取コア２と、供給コア３と、巻取コア２と供給コア３とに巻付けられた熱転写シート５とからなるシート体１を収納するものである。
【００１５】
熱転写シート用カセット１０内の熱転写シート５は、供給コア３から繰り出されて巻取コア２に巻取られ、この間熱転写シート５はサーマルヘッド５ｂにより加熱され、受像シート５ａに画像が転写される（図６）。
【００１６】
なお、巻取コア２および供給コア３は、いずれもフランジ２ｂ，３ｂを有している。また巻取コア２および供給コア３は、位置決め用のラチェット２ａ，３ａを有している。
【００１７】
このような構成からなるシート体１を収納する熱転写シート用カセット１０は、巻取コア２を保持する巻取コアの保持部１２と、供給コア３を保持する供給コアの保持部１３と、これら巻取コアの保持部１２と供給コアの保持部１３とを連結する一対の連結部１７とを有するコア保持体１１と、このコア保持体１１の巻取コアの保持部１２と供給コアの保持部１３とを覆う一対の蓋体２０，２１とを備えている。また、巻取コアの保持部１２の側面、供給コアの保持部１３の側面および一対の連結部１７の側面は一体化され、巻取コアの保持部１２から供給コアの保持部１３まで延びる一対の平板状側部１８を構成している。
【００１８】
このうち蓋体２０は巻取コアの保持部１２を覆うものであり、一対の側板２０ｂと胴部２０ｃからなり、蓋体２１は供給コアの保持部１３を覆うものであり、一対の側板２１ｂと胴部２１ｃからなる。
【００１９】
またコア保持体１１の巻取コアの保持部１２は、巻取コア２の軸２ｃを保持するとともに上方に開口した開口軸受１２ａを有し、供給コアの保持部１３は供給コア３の軸３ｃを保持するとともに上方に開口した開口軸受１３ａを有している。
【００２０】
開口軸受け１２ａ，１３ａは、いずれも上方へ開口するとともに、上方から嵌め込まれる巻取コア２の軸２ｃおよび供給コア３の軸３ｃを嵌合して支持するようになっている。
【００２１】
また、コア保持体１１の一対の連結部１７間に、熱転写シート５に当接してこの熱転写シート５を案内するロッド３０が設けられている。ロッド３０は熱転写シート５に対して、サーマルヘッド５ｂと反対側に配置されており、かつロッド３０は熱転写シート５に対してコア保持体１１側へ配置されている（図６）。
【００２２】
またロッド３０は、各連結部１７に設けられ上方が開口した開口支持部３１により回転自在に支持されており、開口支持部３１の開口部は蓋体２２の内側に設けられた密閉リブ３２により覆われて密閉される。
【００２３】
このように、ロッド３０を熱転写シート５に対してサーマルヘッド５ｂと反対側に、かつ熱転写シート５に対してコア保持体１１側へもってきたことにより、熱転写シート５をサーマルヘッド５ｂが押圧した場合、ロッド３０はコア保持体１１側へ向かうことになり、サーマルヘッド５ｂの押圧時にロッド３０がコア保持体１１の外方へ押圧されてコア保持体１１から外れることはない。
【００２４】
また、ロッド３０は開口支持部３１内へ保持されるので、ロッド３０を開口支持部３１へ上方から挿入するだけで、ロッド３０を容易に開口支持部３１へ収納することができる。さらに、蓋２１をコア保持体１１の供給コアの保持部１３へ被せるだけで、開口支持部３１を蓋２１の密閉リブ３２により密閉することができ、開口支持部３１と密閉リブ３２によりロッド３０を保持することができる。
【００２５】
なお、図２および図３に示すように、巻取コアの保持部１２の一側（左側）には巻取コア２を他側（右側）へ向かって押圧するスプリング１４が設けられ、供給コアの保持部１３の一側（左側）にも供給コア３を他側（右側）へ向かって押圧するスプリング１５が設けられている。スプリング１４は、巻取コアの保持部１２のうち側部１８を構成する側面と巻取コア２の端部との間に設けられ、スプリング１５は供給コアの保持部１３のうち側部１８を構成する側面と供給コア３の端部との間に設けられている。
【００２６】
そして熱転写シート５の駆動時には、図２および図３における右側の側部１８から図示しない駆動機構が挿入され、この駆動機構がスプリング１４，１５の力に抗して巻取コア２と供給コア３を図２および図３の左側へ移動させ、巻取コア２と供給コア３を回転駆動させる。
【００２７】
また熱転写シート５を停止する場合、巻取コア２と供給コア３から駆動機構が離れ、スプリング１４，１５によって巻取コア２と供給コア３を図２および図３の右側へ移動させ、巻取コア２と供給コア３のラチェット２ａ，３ａを対応する巻取コアの保持部１２の係合部（図示せず）と供給コアの保持部１３の係合部（図示せず）に係合させて巻取コア２と供給コア３を係止するようになっている。
【００２８】
さらにまた、蓋体２０，２１の側板２０ｂ，２１ｂの外面には、蓋体２０，２１をコア保持体１１に固定するための爪２６，２７が各々設けられている。一方、コア保持体１１の側部１８の内面には、蓋体２０，２１の爪２６，２７に各々係合するとともに上下方向に延びる凹状レール２２，２３がそれぞれ設けられ、凹状レール２２，２３端には、爪２６，２７が各々嵌込まれる開口２４，２５がそれぞれ設けられている。すなわち、コア保持体１１に蓋体２０，２１を被せる際、蓋体２０，２１をコア保持体１１の一対の側部１８内に挿入し、蓋体２０，２１の爪２６，２７を対応する側部１８の凹状レール２２，２３内に係合させ、蓋体２０，２１をコア保持体１１の保持部１２と保持部１３に向けて押し込む。この場合、蓋体２０，２１の爪２６，２７が、側部１８の凹状レール２２，２３に案内され側部１８の開口２４，２５に嵌込まれ、蓋体２０，２１の一対の側板２０ｂ，２１ｂはコア保持体１１の一対の側部１８の内側に係止される。このようにして、蓋体２０，２１をコア保持体１１の一対の側部１８内に堅固に固定することができる。
【００２９】
また、蓋体２０，２１をコア保持体１１に固定した際、蓋体２０，２１の胴部２０ｃ，２１ｃの上面とコア保持体１１の側部上端面１８ａとの間に段差が生じないように、蓋体２０，２１の爪２６，２７と側部１８の開口２４，２５の位置、および蓋体２０，２１とコア保持体１１の側部１８の形状が定められている。
【００３０】
さらに、コア保持部１１の一対の側部１８は、供給コアの保持部１３から巻取コアの保持部１２に延びる平板状からなり、側部１８の開口２４，２５の深さは、蓋体２０，２１の爪２６，２７の高さより深くなっている。このため、熱転写シート用カセット１０の側部１８には、蓋体２０，２１の爪２６，２７が露出することはない。
【００３１】
次にこのような構成からなる本実施の形態の作用について説明する。
【００３２】
まず、コア保持体１１の開口支持部３１内にロッド３０を装着しておく。次に巻取コア２と供給コア３と熱転写シート５からなるシート体１をコア保持体１１に装着する。この場合、巻取コア保持部１２と供給コア保持部１３に、巻取コア２と供給コア３を各々挿着する。
【００３３】
上述のように、巻取コアの保持部１２の開口軸受１２ａと、供給コアの保持部１３の開口軸受１３ａは、いずれも上方へ開口しているので、巻取コア２の軸２ｃと供給コア３の軸３ｃを上方から開口軸受１２ａ，１３ａに嵌込むだけで、巻取コア２の軸２ｃと供給コア３の軸３ｃを開口軸受１２ａ，１３ａに容易に挿着することができる。
【００３４】
次にコア保持体１１の巻取コアの保持部１２に蓋体２０を被せ、供給コアの保持部１３に蓋体２１を被せる。この場合、蓋体２０，２１をコア保持体１１の一対の側部１８内に挿入し、蓋体２０，２１の爪２６，２７をコア保持体１１の側部１８の凹状レール２２，２３に係合させた状態で、蓋体２０，２１をコア保持体１１に押し込む。これによって、蓋体２０，２１の爪２６，２７が側部１８の凹状レール２２，２３に案内され、凹状レール２２，２３端に配置された開口２４，２５に嵌込まれる。このようにして、蓋体２０，２１をスムースにコア保持体１１の巻取コアの保持部１２上と供給コアの保持部１３上に被せ、コア保持体１１に固定することができる。
【００３５】
また蓋体２１の密閉リブ３２が開口支持部３１を密閉することにより、ロッド３０を開口支持部３１と密閉リブ３２との間で係止して保持することができる。
【００３６】
このように蓋体２０，２１をコア保持体１１に固定した場合、熱転写シート用カセット１０の側面はコア保持体１１の側部１８のみから構成され、コア保持体１１の側部１８の上端面１８ａと蓋体２０，２１の上面とを平坦状に形成することができる。また、蓋体２０，２１をコア保持体１１に固定するための爪２６，２７が側部１８の外面に現れることはない。このため、外方に突起物が突出することなく、熱転写シート用カセット１０をコンパクトに構成することができ、蓋体２０，２１はコア保持体１１から外れにくく、コア保持体１１に強固に固定される。
【００３７】
このようにして、熱転写シート５を有するシート体１を熱転写シート用カセット１０内に収納保持することができる。
【００３８】
シート体１を熱転写シート用カセット１０内に収納した後、この熱転写シート用カセット１０がプリンタに装着され、プリンタのサーマルヘッド５ｂにより熱転写シート５が加熱され画像が受像シート５ａに転写される（図６）。
【００３９】
この場合、熱転写シート５はロッド３０により熱転写シート間カセット１０内を案内されるので、熱転写シート５がカセット１０内面に接触したり当接することはない。このため熱転写シート５をスムースに供給コア１３から繰り出して巻取コア１２に巻取ることができる。また、ロッド３０を熱転写シート５に対してサーマルヘッド５ｂと反対側に、かつ熱転写シート５に対してコア保持体１１側へもってきたので、サーマルヘッド５ｂが熱転写シート５を押圧した場合、ロッド３０はコア保持体１１側へ向かうことになり、サーマルヘッド５ｂの押圧時にロッド３０がコア保持体１１の外方へ押圧されてコア保持体１１から外れてしまうことはない。
【００４０】
以上のように本実施の形態によれば、蓋体２０，２１はコア保持体の一対の側部１８内に装着されて固定される。また、熱転写シート用カセット１０のうち、コア保持体１１の側部１８の上端面１８ａと蓋体２０，２１の上面とを、段差を生じさせることなく平坦状に形成することができる。このため、外方に突起物が突出することなく、熱転写シート用カセット１０をコンパクトに構成することができる。このような点から、熱転写シート用カセット１０を落下させたり、外力を加えた場合でも、蓋体２０，２１はコア保持体１１から外れにくく、コア保持体１１に強固に固定されることになる。  
【図面の簡単な説明】
【００４１】
【図１】本発明による熱転写シート用カセットの一実施例を示す斜視図。
【図２】熱転写シート用カセットの平面図。
【図３】熱転写シート用カセットの正面図。
【図４】図３のIV向側面図。
【図５】図３のＶ方向側面図。
【図６】熱転写シートとロッドとサーマルヘッドとの関係を示す図。
【符号の説明】
【００４２】
１  シート体
２  巻取コア
３  供給コア
５  熱転写シート
１０  熱転写シート用カセット
１１  コア保持体
１２  巻取コアの保持部
１２ａ  開口軸受
１３  供給コアの保持部
１３ａ  開口軸受
１４  スプリング
１５  スプリング
１７  連結部
１８  側部
１８ａ  上端面
２０，２１  蓋体
２０ｂ，２１ｂ  側板
２２，２３  凹状レール
２４，２５  開口
２６，２７  爪
【図１】
2005081670.tif 000003
【図２】
2005081670.tif 000004
【図３】
2005081670.tif 000005
【図４】
2005081670.tif 000006
【図５】
2005081670.tif 000007
【図６】
2005081670.tif 000008